(57)【特許請求の範囲】
【請求項１】
処理の状態をユーザに通知するための状態通知画面を非表示にするときに前記ユーザによって操作される第１操作画像を表示し、
前記第１操作画像が操作された場合には、前記状態通知画面が表示から非表示へと遷移する、第１方向の動きを表示し、
ユーザが前記状態通知画面を非表示の状態から再表示するための再表示操作を行った場合には、前記状態通知画面を表示し、
前記状態通知画面を非表示の状態から再表示するための操作は、前記第１方向とは逆の動きの操作である
ことを特徴とする表示制御装置。
【請求項２】
複数の機能のそれぞれにおいて異なる前記処理が実行され、
前記複数の機能のうちいずれか１の機能に関する画面において前記再表示操作が行われた場合には、当該機能における処理の状態を通知するための前記状態通知画面を表示する
請求項１記載の表示制御装置。
【請求項３】
複数の機能のそれぞれにおいて異なる前記処理が実行され、
第１の前記機能に関する画面において前記再表示操作が行われた場合には、当該第１の機能において使用される資源を使用する第２の機能における処理の状態を通知するための前記状態通知画面を表示する
請求項１記載の表示制御装置。
【請求項４】
複数の機能のそれぞれにおいて異なる前記処理が実行され、
前記再表示操作が行われるたびに、異なる前記機能における処理の状態を通知するための前記状態通知画面を順次表示する
請求項１記載の表示制御装置。
【請求項５】
複数の機能のそれぞれにおいて異なる前記処理が実行され、
前記再表示操作が行われると、前記複数の機能における処理の状態を通知するための前記状態通知画面の一覧を表示し、当該一覧においてユーザによって選択された機能の前記状態通知画面を表示する
請求項１記載の表示制御装置。
【請求項６】
前記状態通知画面は、前記処理が実行されている途中であることを通知する画面、又は、前記処理において異常が生じていることを通知する画面である
請求項１〜５のいずれか１項に記載の表示制御装置。
【請求項７】
前記処理が完了した後に前記再表示操作が行われた場合には、当該処理が完了したことを通知する処理完了画面を表示する
請求項１〜６のいずれか１項に記載の表示制御装置。
【請求項８】
前記処理完了画面において、当該処理完了画面を非表示にするときに操作される、前記第１操作画像とは異なる第３操作画像を表示し、当該第３操作画像が操作された場合には、当該処理完了画面が表示から非表示へと遷移するときの動きを表示せずに、当該処理完了画面を非表示にする
請求項７記載の表示制御装置。
【請求項９】
複数の機能のそれぞれにおいて異なる前記処理が実行され、
前記複数の機能のうちいずれか１の機能に関する画面が表示されたときに、当該機能における処理の状態を通知するための前記状態通知画面を表示する
請求項１記載の表示制御装置。
【請求項１０】
前記複数の機能のうちいずれか１の機能に関する画面が表示されたときに、前記状態通知画面の一部を表示する
請求項８記載の表示制御装置。
【請求項１１】
処理の状態をユーザに通知するための状態通知画面を非表示にするときに前記ユーザによって操作される第１操作画像と、当該処理が完了した場合に表示される処理完了画面とを表示し、
前記第１操作画像が操作された場合には、前記状態通知画面が表示から非表示へと遷移する動きを表示し、
ユーザが前記処理完了画面を非表示にするための操作を行った場合には、前記処理完了画面が表示から非表示へと遷移する動きを表示しない
ことを特徴とする表示制御装置。
【請求項１２】
前記状態通知画面における前記第１操作画像と、前記処理完了画面において当該処理完了画面を非表示にするときに操作される操作画像である第２操作画像とは異なる
ことを特徴とする請求項１１に記載の表示制御装置。
【請求項１３】
請求項１乃至１２のいずれか１項に記載の表示制御装置と、
前記処理を実行する処理装置と
を備える電子機器。
【請求項１４】
コンピュータを、
処理の状態をユーザに通知するための状態通知画面を非表示にするときに前記ユーザによって操作される第１操作画像を表示し、
前記第１操作画像が操作された場合には、前記状態通知画面が表示から非表示へと遷移する、第１方向の動きを表示し、
ユーザが前記状態通知画面を非表示の状態から再表示するための再表示操作を行った場合には、前記状態通知画面を表示する表示制御手段として機能させ、
前記状態通知画面を非表示の状態から再表示するための操作は、前記第１方向とは逆の動きの操作であるプログラム。
【請求項１５】
コンピュータを、
処理の状態をユーザに通知するための状態通知画面を非表示にするときに前記ユーザによって操作される第１操作画像と、当該処理が完了した場合に表示される処理完了画面とを表示し、
前記第１操作画像が操作された場合には、前記状態通知画面が表示から非表示へと遷移する動きを表示し、
ユーザが前記処理完了画面を非表示にするための操作を行った場合には、前記処理完了画面が表示から非表示へと遷移する動きを表示しない表示制御手段
として機能させるプログラム。
【発明の詳細な説明】
【技術分野】
【０００１】
本発明は、表示制御装置、電子機器及びプログラムに関する。
【背景技術】
【０００２】
特許文献１には、フォアグラウンド状態とするアプリケーションの切り替え操作を支援する仕組みが開示されている。
【先行技術文献】
【特許文献】
【０００３】
【特許文献１】特開２０１５−２０１０７４号公報
【発明の概要】
【発明が解決しようとする課題】
【０００４】
本発明は、処理の状態をユーザに通知するための状態通知画面を非表示にするときに、その状態通知画面が再表示可能なことをユーザに対して視覚的に知らせることを目的とする。
【課題を解決するための手段】
【０００５】
請求項１に係る発明は、処理の状態をユーザに通知するための状態通知画面を非表示にするときに前記ユーザによって操作される第１操作画像を表示し、前記第１操作画像が操作された場合には、前記状態通知画面が表示から非表示へと遷移する、第１方向の動きを表示し、ユーザが前記状態通知画面を非表示の状態から再表示するための操作を行った場合には、前記状態通知画面を表示し、前記状態通知画面を非表示の状態から再表示するための操作は、前記第１方向とは逆の動きの操作であることを特徴とする表示制御装置を提供する。
【０００７】
請求項２に係る発明は、請求項１記載の構成において、複数の機能のそれぞれにおいて異なる前記処理が実行され、前記複数の機能のうちいずれか１の機能に関する画面において前記再表示操作が行われた場合には、当該機能における処理の状態を通知するための前記状態通知画面を表示する。
【０００８】
請求項３に係る発明は、請求項１記載の構成において、複数の機能のそれぞれにおいて異なる前記処理が実行され、第１の前記機能に関する画面において前記再表示操作が行われた場合には、当該第１の機能において使用される資源を使用する第２の機能における処理の状態を通知するための前記状態通知画面を表示する。
【０００９】
請求項４に係る発明は、請求項１記載の構成において、複数の機能のそれぞれにおいて異なる前記処理が実行され、前記再表示操作が行われるたびに、異なる前記機能における処理の状態を通知するための前記状態通知画面を順次表示する。
【００１０】
請求項５に係る発明は、請求項１記載の構成において、複数の機能のそれぞれにおいて異なる前記処理が実行され、前記再表示操作が行われると、前記複数の機能における処理の状態を通知するための前記状態通知画面の一覧を表示し、当該一覧においてユーザによって選択された機能の前記状態通知画面を表示する。
【００１１】
請求項６に係る発明は、請求項１〜５のいずれか１項に記載の構成において、前記状態通知画面は、前記処理が実行されている途中であることを通知する画面、又は、前記処理において異常が生じていることを通知する画面である。
【００１２】
請求項７に係る発明は、請求項１〜６のいずれか１項に記載の構成において、前記処理が完了した後に前記再表示操作が行われた場合には、当該処理が完了したことを通知する処理完了画面を表示する。
【００１３】
請求項８に係る発明は、請求項７記載の構成において、前記処理完了画面において、当該処理完了画面を非表示にするときに操作される、前記第１操作画像とは異なる第３操作画像を表示し、当該第３操作画像が操作された場合には、当該処理完了画面が表示から非表示へと遷移するときの動きを表示せずに、当該処理完了画面を非表示にする。
【００１４】
請求項９に係る発明は、請求項１記載の構成において、複数の機能のそれぞれにおいて異なる前記処理が実行され、前記複数の機能のうちいずれか１の機能に関する画面が表示されたときに、当該機能における処理の状態を通知するための前記状態通知画面を表示する。
【００１５】
請求項１０に係る発明は、請求項８記載の構成において、前記複数の機能のうちいずれか１の機能に関する画面が表示されたときに、前記状態通知画面の一部を表示する。
【００１６】
請求項１１に係る発明は、処理の状態をユーザに通知するための状態通知画面を非表示にするときに前記ユーザによって操作される第１操作画像と、当該処理が完了した場合に表示される処理完了画面とを表示し、前記第１操作画像が操作された場合には、前記状態通知画面が表示から非表示へと遷移する動きを表示し、ユーザが前記処理完了画面を非表示にするための操作を行った場合には、前記処理完了画面が表示から非表示へと遷移する動きを表示しないことを特徴とする表示制御装置を提供する。
請求項１２に係る発明は、請求項１１記載の構成において、前記状態通知画面における前記第１操作画像と、前記処理完了画面において当該処理完了画面を非表示にするときに操作される操作画像である第２操作画像とは異なる。
請求項１３に係る発明は、請求項１乃至１２のいずれか１項に記載の表示制御装置と、前記処理を実行する処理装置とを備える電子機器を提供する。
【００１７】
請求項１４に係る発明は、コンピュータを、処理の状態をユーザに通知するための状態通知画面を非表示にするときに前記ユーザによって操作される第１操作画像を表示し、前記第１操作画像が操作された場合には、前記状態通知画面が表示から非表示へと遷移する、第１方向の動きを表示し、ユーザが前記状態通知画面を非表示の状態から再表示するための再表示操作を行った場合には、前記状態通知画面を表示する表示制御手段であって、前記状態通知画面を非表示の状態から再表示するための操作は、前記第１方向とは逆の動きの操作であるプログラムを提供する。
請求項１５に係る発明は、コンピュータを、処理の状態をユーザに通知するための状態通知画面を非表示にするときに前記ユーザによって操作される第１操作画像と、当該処理が完了した場合に表示される処理完了画面とを表示し、前記第１操作画像が操作された場合には、前記状態通知画面が表示から非表示へと遷移する動きを表示し、ユーザが前記処理完了画面を非表示にするための操作を行った場合には、前記処理完了画面が表示から非表示へと遷移する動きを表示しない表示制御手段として機能させるプログラムを提供する。
【発明の効果】
【００１８】
請求項１、１３，１４に係る発明によれば、処理の状態をユーザに通知するための状態通知画面を非表示にするときに、その状態通知画面が再表示可能なことをユーザに対して視覚的に知らせ、状態通知画面を再表示するときの操作をユーザに示唆することができる。
請求項２〜５、９、１０に係る発明によれば、複数の機能についての状態通知画面がそれぞれ再表示可能なことをユーザに対して視覚的に知らせることができる。
請求項６に係る発明によれば、前記処理が実行されている途中であることを通知する画面、又は、前記処理において異常が生じていることを通知することができる。
請求項７に係る発明によれば、処理が完了した後に再表示操作が行われた場合には、当該処理が完了したことを通知することができる。
請求項８に係る発明によれば、処理完了画面が表示から非表示へと遷移するときの動きを表示せずに、当該処理完了画面を非表示にすることができる。
【図面の簡単な説明】
【００１９】
【図１】画像形成装置１のハードウェア構成を示す図。
【図２】画面遷移の一例を示す図。
【図３】画面遷移の一例を示す図。
【図４】画面遷移の一例を示す図。
【図５】画面遷移の一例を示す図。
【発明を実施するための形態】
【００２０】
本発明の実施形態の一例について説明する。
＜構成＞
図１は、画像形成装置１のハードウェア構成を示す図である。画像形成装置１は、本発明に係る情報処理装置の一例である。画像形成装置１は、制御部１１、記憶部１２、通信部１３、ＵＩ（User Interface）部１４、読取部１５、画像処理部１６、及び画像形成部１７を備える。
【００２１】
制御部１１は、ＣＰＵ（Central Processing Unit）などの演算装置と、ＲＯＭ（Read Only Memory）やＲＡＭ（Random Access Memory）などの記憶装置とを備えており、後述するような表示制御を行う表示制御手段として機能する。ＲＯＭには、ハードウェアやＯＳ（Operating System）の起動の手順を記述したファームウェアが記憶されている。ＲＡＭは、ＣＰＵが演算を実行する際のデータの記憶に用いられる。記憶部１２は、例えば半導体メモリやハードディスク記憶装置などを備え、ＯＳのほか、各種の機能を実現するためのアプリケーションプログラムを記憶している。通信部１３は、外部の電子機器との間で通信を行うための通信Ｉ／Ｆ（Interface）を備える。通信部１３は、ＬＡＮ（Local Area Network）などの通信回線に接続される。
【００２２】
ＵＩ部１４は、表示部と操作部とを含む。表示部は例えば液晶表示装置を備え、ユーザが画像形成装置１を操作するための画面を表示面に表示する。操作部１５は、例えば表示部１４の表示面を覆うように設けられたタッチパネルや、表示面に隣接する位置に設けられたキーボードなどを備え、ユーザが行った操作を受け付けて、その操作に応じた信号を制御部１１に出力する。制御部１１は、この操作の内容に従って画像形成装置１を制御する。
【００２３】
読取部１５は、原稿を光学的に読み取って画像データを生成する。読取部１６は、例えば、プラテンガラス、光源、光学系、カラーフィルタ、撮像素子などを備えたイメージスキャナであり、プラテンガラス上に載せられた原稿に対して光源が光を照射し、原稿で反射された反射光が光学系及びカラーフィルタを介して撮像素子に入射する。撮像素子は、入射した光を画像信号に変換して画像処理部１６に出力する。画像処理部１６は、読取部１５から出力された画像信号にスクリーン処理や色変換などの画像処理を施して、ラスタデータを生成する。画像形成部１７は、画像処理部１６が生成したラスタデータに基づく画像を、記録媒体である用紙に形成する。画像形成方式は、例えば、電子写真方式やインクジェット方式などである。
【００２４】
図２は、ＵＩ部１４に表示される画面の遷移を示す図である。例えばＣｏｐｙアプリは、原稿を複写するコピー機能を実現するためのアプリケーションである。Ｈｏｍｅ画面上でＣｏｐｙアプリの起動ボタンが操作されると、制御部１１は、図２（Ａ）に示すようなＣｏｐｙ設定画面を表示する。Ｃｏｐｙ設定画面は、コピー機能を操作するための画面であり、具体的には、原稿の読み取りの条件や、画像の印刷の条件などを設定するための画面である。
【００２５】
ここで、図２（Ａ）のＳｔａｒｔボタンが操作されると、コピー機能が実行されるが、その実行中において、制御部１１は、図２（Ｂ）に示すような処理実行中画面を表示する。この処理実行中画面は、画像形成成装置１における処理の状態をユーザに通知するための状態通知画面の１つである。コピーに関する処理が完了すると、制御部１１は、図２（Ｃ）に示すような処理完了画面を表示する。この処理完了画面に含まれる非表示ボタンＢ１がユーザにより操作されると、制御部１１は処理完了画面を非表示にして、Ｃｏｐｙ設定画面（図２（Ｄ））に戻る。
【００２６】
また、Ｃｏｐｙ設定画面におけるＳｔａｒｔボタンが操作されてコピー機能が実行され（図２（Ｅ））、処理実行中画面が表示されている段階で、処理を中止するためのＣａｎｃｅｌボタンＢ２がユーザにより操作されると（図２（Ｆ））、制御部１１は、図２（Ｇ）に示すような処理中止画面を表示する。この処理中止画面に含まれる非表示ボタンＢ３がユーザにより操作されると、制御部１１は処理中止画面を非表示にして、Ｃｏｐｙ設定画面に戻る（図２（Ｈ））。
【００２７】
また、Ｃｏｐｙ設定画面におけるＳｔａｒｔボタンが操作されてコピー機能が実行され（図２（Ｉ））、処理実行中画面が表示されている段階で、この処理実行中画面を非表示にするためのボタンＢ４がユーザにより操作されると（図２（Ｊ））、制御部１１は、図２（Ｋ）に示すように、処理実行中画面Ｇ１が下方（ユーザから見て手前側）に移動してＵＩ部１４の表示領域外にでていくようなアニメーション表示を行って処理実行中画面Ｇ１を非表示とし、Ｃｏｐｙ設定画面に戻る（図２（Ｌ））。つまり、このアニメーション表示は、処理実行中画面が表示から非表示へと遷移するときの動きを表示することに相当する。
【００２８】
そして、Ｃｏｐｙ設定画面において、ユーザが上記のアニメーション表示の動きとは逆の動きとなる操作、つまり、ＵＩ部１４の表示領域の下方（ユーザから見て手前側）から上方（ユーザから見て遠ざかる方向）へと指を移動させる、いわゆるフリック操作を行うと（図２（Ｍ））、制御部１１は、図２（Ｎ）に示すように、非表示であった処理実行中画面がＵＩ部１４の下方の表示領域外から上方に移動していくようなアニメーション表示を行って、処理実行中画面Ｇ１を再表示させる。この動作を再表示操作という。この再表示操作は、処理実行中画面が表示から非表示へと遷移するときの動きに応じた操作に相当する。
【００２９】
上述したボタンＢ１とボタンＢ４は、ともに画面を非表示にするための操作子画像であるが、そのデザインと、操作されたときの挙動が異なっている。つまり、ボタンＢ１は、「×」というデザインであり、表示から非表示となるときには処理完了画面の動きを伴うアニメーション表示は行われないのに対し、ボタンＢ４は、下向きの矢印を模したデザインであり、表示から非表示となるときには処理実行中画面の動きを伴うアニメーション表示がなされる。「×」というデザインの操作子画像は、一般に、処理の中止或いは画面の消去という意味で用いられることがあるため、ボタンＢ４にこのデザインを採用すると、処理実行中画面の再表示が可能であることがユーザに伝わりにくい。そこで、ボタンＢ４においては、処理実行中画面が非表示となるときの動きの方向を意味する、下向きの矢印を模したデザインを採用し、且つ、操作時に処理実行中画面の動きを表現することで、その処理実行中画面の再表示方法をユーザに示唆するようにしている。
【００３０】
図２は、コピー機能の例であったが、画像形成装置１が実現する機能には、このコピー機能の他にも、例えばスキャン機能やファクシミリ機能などがあり、これら複数の機能のそれぞれにおいて異なる処理が実行される。制御部１１は、複数の機能のうちいずれか１の機能に関する設定画面において、上述した再表示操作が行われた場合には、その機能における処理の状態を通知するための状態通知画面を表示する。つまり、制御部１１は、コピー設定画面において上述した再表示操作が行われた場合には、コピー機能における状態通知画面を表示する。また、制御部１１は、スキャン設定画面において上述した再表示操作が行われた場合には、スキャン機能における状態通知画面を表示する。ユーザが状態通知画面を非表示にした後にその状態通知画面を再表示したいと考えた場合、その状態通知画面に対応する機能を起動するのが自然であるから、上記のように該当する機能の設定画面において再表示操作が行われた場合に状態通知画面を表示するほうがユーザにとって直観的で想像しやすいと言える。
【００３１】
ここで、例えば或る機能を実行している過程で、何らかのエラーが発生する場合がある。このとき、制御部１１は、処理がエラー状態であることを通知するためのエラー通知画面を表示する。このエラー通知画面は、画像形成装置１における処理の状態をユーザに通知するための状態通知画面の１つである。従って、このエラー通知画面についても、処理実行中画面と同様に、非表示のためのボタン操作で非表示にしたり、再表示操作に応じて再表示したりすることができる。
【００３２】
図３は、画像形成装置１にＵＳＢ接続された記憶媒体に原稿の読み取りデータを格納する機能（Ｓｃａｎ  ｔｏ  ＵＳＢ）と、上述したコピー機能とを同時に実現しているときに、紙詰まりというエラーが発生した場合の画面遷移を示す図である。図３（Ａ）の左側の画面がこの場合の処理実行中画面であり、図３（Ｂ）の右側の画面がこの場合のエラー通知画面である。ここでは、図３（Ｂ）に示すようにコピー設定画面が表示されているとする。このように異なる機能が同時に実現されており、且つこれらの機能で同じ資源（画像形成部１７）が使用されている場合に再表示操作が行われると、エラー通知画面の再表示を優先する。このように、複数の機能のそれぞれにおいて異なる処理が実行され、第１の機能に関する画面において再表示操作が行われた場合には、当該第１の機能において使用される資源を使用する第２の機能における処理の状態を通知するための状態通知画面が表示される。
【００３３】
ところで、複数の機能が並行して動作中の場合や複数の機能のうちのいずれか処理待機中である場合に、再表示操作が行わると（図４（Ａ））、制御部１１は、機能一覧画面Ｇ２を、ＵＩ部１４の下方の表示領域外から上方に移動していくようなアニメーションで表示する。そして、ユーザが表示したい機能を選択すると（図４（Ｃ））、制御部１１は、選択された機能に関する状態通知画面Ｇ３を、ＵＩ部１４の下方の表示領域外から上方に移動していくようなアニメーションで表示する（図４（Ｄ），（Ｅ））。
選んで表示する。
【００３４】
また、再表示操作が行われるたびに、制御部１１は、所定の順番で状態通知画面を表示してもよい。つまり、図５に示すように、制御部１１は、１回目の再表示操作では第１の機能に関する状態通知画面Ｇ４を再表示し（図４（Ａ）〜（Ｃ））、２回目の再表示操作では第２の機能に関する状態通知画面Ｇ５を再表示する（図４（Ｄ），（Ｅ））。この所定の順番のバリエーションとしては、処理がスタートした順序が遅いほうから表示する（もっとも最近、処理のスタートを指示したものから表示する）、処理がスタートした順序が早いほうから表示する、画像形成装置１が処理を開始した順で表示する、既に表示されている設定画面の機能に関連した状態通知画面から表示する、既に表示されている設定画面の機能と同じ資源を使用する機能の状態通知画面を表示する、などの考え方がある。
【００３５】
なお、状態通知画面を非表示にしたあと、その機能の設定画面を非表示にして他の画面に遷移すると、ユーザには状態通知画面の再表示方法がわからなくなってしまうことがある。そこで、制御部１１は、非表示にした状態通知画面を、関連する機能を起動したタイミングで再表示してもよい。
【００３６】
また、処理完了画面についても再表示操作に応じて再表示可能としてもよい。この場合、処理完了画面の表示は１回のみに制限してもよい。つまり、１回表示された処理完了画面は再表示しないようにしてもよい。
【００３７】
本実施形態によれば、状態通知画面を非表示とすることを指示するボタンＢ４においては、処理実行中画面が非表示となるときの動きの方向を意味する、下向きの矢印を模したデザインを採用し、且つ、このボタンの操作時には状態通知画面の非表示の動きを表現することで、状態通知画面面の再表示方法をユーザに示唆することができる。
【００３８】
なお、状態通知画面はＵＩ部１４の表示領域の全面に表示しなくてもよく、その一部表示領域のみの表示に留めてもよい。
上記の実施形態では、操作部がタッチパネルの機能を有する例を示したが、マウスなどのポインティングデバイスを備えていてもよい。
上記の実施形態では、制御部１１がプログラムを実行することによって上記の機能を実現する例を示したが、上記の機能がハードウェア回路で実装されていてもよい。また、このプログラムを、光記録媒体、半導体メモリ等、コンピュータで読み取り可能な記録媒体に記録して提供し、この記録媒体からプログラムを読み取って情報処理装置にインストールするようにしてもよい。また、このプログラムを電気通信回線で提供してもよい。
【符号の説明】
【００３９】
１…画像形成装置、１１…制御部、１２…記憶部、１３…通信部、１４…ＵＩ部、１５…読取部、１６…画像処理部、１７…画像形成部。
【図１】
0006724454.tif 000002
【図２】
0006724454.tif 000003
【図３】
0006724454.tif 000004
【図４】
0006724454.tif 000005
【図５】
0006724454.tif 000006